(57)【要約】【課題】  鼻の両脇に当ててフロント部を支える鼻当てパットを備えることなく、ツルにパットを取付けてコメカミに当接すると共に頬骨に載って支持することが出来るメガネフレームの提供。【解決手段】  パット９の材質はゴム質又は軟質樹脂質とし、パット９の形状は概略半リング状とし、ツル２のフロント部側に取付けられて内側へ傾斜して下方へ延びている。【選択図】    図１
2020016718.tif 000002
【特許請求の範囲】
【請求項１】
フロント部を安定して支える為に、ツルにパットを取付けたメガネやサングラスにおいて、上記パットの材質はゴム質又は軟質樹脂質とし、パットの形状は概略半リング状とし、ツルのフロント部側に取付けられて内側へ傾斜して下方へ延びていることを特徴とするメガネフレーム。
【請求項２】
上記半リング状パットの形状を、フロント部側に傾斜して下方へ延びる前部を設けると共に該前部基部から所定の間隔をおいて設けた基部から湾曲して延びる円弧部を設け、上記前部先端と円弧部先端を繋いだ形状とした請求項１記載のメガネフレーム。
【請求項３】
上記ツルのフロント部側には外方向へ湾曲して膨出する突出部を設け、この突出部に上記パットを取付けた請求項１、又は請求項２記載のメガネフレーム。
【請求項４】
上記半リング状パットのフロント部側基部にはツルに巻き付いたリングシートを設け、半リング状の後方側基部には、ツル表面を被覆するツル被覆シートを形成した請求項１、請求項２、又は請求項３記載のメガネフレーム。
【請求項５】
メガネフレームのツルに取付けられるパットにおいて、上記パットの材質はゴム質又は軟質樹脂質とし、パットの形状は概略半リング状とし、ツルのフロント部側に取付けられて内側へ傾斜して下方へ延びていることを特徴とする半リング状パット。
【請求項６】
上記パットの形状を、フロント部側に前面側へ傾斜して下方へ延びる前部を設けると共に該前部基部から所定の間隔をおいて設けた基部から湾曲して延びる円弧部を設け、上記前部先端と円弧部先端を繋いだ形状とした請求項５記載の半リング状パット。
【請求項７】
上記半リング状パットのフロイント部側基部にはツルに巻き付くリングシートを設け、半リング状の後方側基部には、ツル表面を被覆するツル被覆シートを形成した請求項５、又は請求項６記載の半リング状パット。
【発明の詳細な説明】
【技術分野】
【０００１】
本発明は鼻当てパットを備えることなく、ツルにパットを取付け、該パットをコメカミに当てると共に頬骨に載せてフロント部を支持することが出来るメガネフレームに関するものである。及びツルに取付ける半リング状パットに関するものである。
【背景技術】
【０００２】
図５は従来の一般的なメガネフレームを示している。メガネフレームはフロント部（イ）と２本のツル（ロ）、（ロ）から成り、ツル（ロ）、（ロ）はフロント部（イ）の両側に設けているヨロイ（ハ）、（ハ）に蝶番（ニ）、（ニ）などの継手を介して折畳み出来るように取付けられている。フロント部（イ）は連結部材（ホ）の両側にリム（ヘ）、（ヘ）が設けられ、リム（ヘ）、（ヘ）の外側には上記ヨロイ（ハ）、（ハ）をロウ付けしている。そして、リムの内側(中央側)には鼻当てパット（ト）、（ト）が取付けられている。
【０００３】
ところで、メガネを顔に掛ける場合には、鼻当てパット（ト）、（ト）を鼻の両脇に当てると共に、ツル（ロ）、（ロ）の先端部に挿着している樹脂製のモダン（チ）、（チ）が耳に係止される。鼻当てパット（ト）、（ト）を介してフロント部（イ）は鼻で支えられるが、長時間にわたってメガネを着用しているならば、鼻当てパット（ト）、（ト）が当っている鼻の両脇が赤く変色し、化粧が剥がれる。したがって、メガネを外した際には化粧が剥がれて赤くなった鼻両脇が目立ち、特に若い女性にとっては大きな問題となる。
【０００４】
近年のメガネフレームはバネ製に優れた軽い材質としてチタン材が多用され、又レンズもプラスチックレンズが用いられることで、フロント部が非常に軽くなっている。ステンレス材を使用したメガネフレームにガラスレンズを嵌めた昔のメガネに比較すれば非常に軽い。しかし、鼻当てパットにてフロント部を支えることは必要であり、その為に鼻両脇の化粧の剥がれ落ちを避けることは出来ない。  鼻当てパットの材質を軟らかいシリコン樹脂で構成している場合もあるが、赤い変色や化粧の剥がれを完全に防止することは出来ない。
【０００５】
従来、ツルの内側にパットを取付け、該パットを顔のコメカミ部分に当てることでフロント部を支えるように構成したメガネフレームが知られている。しかし、ツルの内側に取付けたパットをコメカミ部分に押し当てても、滑り落ちる為にフロント部を完全に支持することが出来ない場合もある。
しかし、パットをコメカミ部に強く押圧するならば、コメカミが痛く成ってメガネを長時間掛けることは出来ない。
一方、フロント部に鼻当てパットが無いメガネフレームでは、該フロント部が降下することで、リムの下縁又はレンズの下縁が顔の頬に接してしまい、メガネを外した場合には頬に跡が残ってしまうという問題もある。
【０００６】
特開２００８−２０６７８号に係る「メガネフレーム」は、鼻の両脇に当ててフロント部を支える鼻当てパットを備えないメガネフレームであり、ツルからアームを斜め下方へ延ばし、該アーム先端にはパットを取付け、該パットが顔の頬骨に当ってフロント部を支えるようにしている。そして、パットはその向きを変えることが出来る構造としている為に、頬骨の位置や形状に違いがあってもパットはフィットできる構造となっている。
【０００７】
図６はツル（ロ）にパット（リ）を取付けた従来の具体例である。ツル（ロ）には基板（ヌ）がネジ止めされ、この基板（ヌ）にアーム（ル）が固定され、基板（ヌ）から延びるアーム（ル）の先端には上記パット（リ）を取付けている。該パット（リ）は円盤状であり、円盤状パット（リ）は頬骨に載置されるが、コメカミに当たって押圧する。
アーム（ル）はバネ性の金属線であり、その為に、パット（リ）に作用する押圧力はアーム（ル）の撓み変形に基づき、該コメカミ部に痛みを感じる。
【０００８】
ところで、従来のメガネフレームではツル（ロ）に取付けたパット（リ）が顔のコメカミ部に当たることで、該パット（リ）に作用する押圧力の反力によってツル（ロ）が撓み、その為に耳に係止するツル先端部のモダンが後頭部から浮き上がり、ツルの安定性が損なわれる。すなわち、両パット（リ）だけでメガネフレームを支えるようになり、パット（リ）を中心として揺動し、フロント部が降下すると共にツル先端部は上昇し、メガネフレームは前屈み状態となる。その為に、リムの下縁又はレンズの下縁が頬に当たってしまい、メガネを外すと頬に跡が残ってしまう。
【特許文献１】特開２００８−２０６７８号に係る「メガネフレーム」
【発明の開示】
【発明が解決しようとする課題】
【０００９】
このように、フロント部に鼻当てパットを取付けたメガネフレーム、そして鼻当てパットを備えることなくツルにパットを取付けたメガネフレームには上記のごとき問題がある。本発明が解決しようとする課題はこの問題点であり、ツルに取付けたパットが位置ズレすることなく頬骨に載置され、またツル先端部が浮上しないように安定して掛けることが出来るメガネフレーム、及びツルに取付ける半リング状パットを提供する。
【課題を解決するための手段】
【００１０】
本発明に係るメガネフレームは、フロント部に鼻当てパットを備えておらず、ツルにはパットを取付けている。該パットは顔のコメカミ部に接すると共に頬骨に載せてフロント部を支える為に、ツルのフロント部側に取付けられている。
パットはゴム質又は軟質樹脂製とし、その形状は概略半リング状としている。すなわち、ツルから所定の間隔をおいて下方へ延び、先端が繋がって半リング状となっている。
【００１１】
しかも、半リング状をしたパットは、内側へ傾斜していて、メガネを着用した場合にはコメカミ部及び頬骨に当たって撓み変形し、外方向へ押し戻される。ゴム質又は軟質樹脂からなる半リング状パットは、高い摩擦係数を有し、コメカミ部及び頬骨から滑り難く、フロント部を安定して保持することが出来る。そして、半リング状パットの下端部内面には複数の滑り止め用凸条を設けている。
【発明の効果】
【００１２】
本発明に係るメガネフレームは、ツルに取付けたパットが顔の頬骨に載ってフロント部が支えられる。したがって、従来のメガネフレームのように鼻当てパットが当って鼻の両脇が赤く変色することがなく、又鼻の両脇の化粧が剥がれることもない。
また、パットはコメカミ部に当たっても接触する程度で押圧しない為に、コメカミ部の痛みはなく、長時間にわたってメガネを着用することが出来る。
【００１３】
そして、本発明に係るパットはツルから下方へ延びる半円形リング状であり、しかも該パットはゴム質又は軟質樹脂製である為に、コメカミ部の広い範囲にわたって密着することが出来る。そのために、激しい運動を行っても、フロント部が位置ズレすることはなく安定してメガネを掛けることが出来る。
さらに、パット内面には複数の凸条が形成されることで、該パットの位置ズレが防止される。
【図面の簡単な説明】
【００１４】
【図１】本発明に係るメガネフレーム（サングラス）を示す実施例で、（ａ）は平面図、（ｂ）は側面図。
【図２】本発明に係るメガネフレーム（サングラス）を示す斜視図。
【図３】レンズ形状を示す具体例。
【図４】顔に着用した本発明のメガネフレーム。
【図５】フロント部に鼻当てパットを備えた従来の一般的なメガネフレーム。
【図６】パットを取付けた従来のメガネフレームのツル。
【発明を実施するための形態】
【００１５】
図１は本発明に係るメガネフレームの１形態であるサングラスを示す実施例で、図１（ａ）は平面図、図１（ｂ）は側面図をそれぞれ表している。また図２は斜視図であり、同図の１はフロント部、２はツルを示し、ツル２，２はフロント部１の両側に継手を介して折畳み出来るように取付けられている。同図に示すサングラスは樹脂製であり、フロント部１を構成するレンズ３、３は中央に設けている連結部材４を介して左右対称に連結されている。
【００１６】
上記連結部材４にはその両側にスリット溝が設けられ、このスリット溝に図３に示すレンズ３の外周部が嵌入すると共に、ネジ止めされてスリット溝に挟み込まれる構造としている。レンズ３の内周側（連結部材側）には凸部６が設けられ、この凸部６にはネジ穴７が貫通している。
連結部材４には凸部６が嵌入する為のスリット溝が形成され、このスリット溝に凸部６が嵌入すると共にネジ止めされることで、レンズ３は連結部材４に連結される。そして、上記凸部６を挟んだレンズ３の外周縁８は連結部材４の外側面に当接し、該レンズ３はネジ穴７を中心として回転することはない。
【００１７】
レンズ外側にはヨロイ５が取付けられ、該ヨロイ５の先端には継手を介してツル２が折畳み出来るように連結している。
該ヨロイ５とレンズ３との連結構造は上記連結部材４と共通し、ヨロイ５に形成したスリット溝にはレンズ３が嵌り、この状態でヨロイ５とレンズ３はネジ止めされる。レンズ３の外側にもネジ穴７が貫通して設けられ、このネジ穴７にネジを挿通して該レンズ３はヨロイ５に連結・固定される。
この場合も、レンズ外周縁８はヨロイ５に形成しているスリット溝底に当接し、その為に、該ヨロイ５はネジ穴７を中心として回転することはない。
【００１８】
ところで、本発明のメガネフレームは図１、図２に示しているように、フロント部１に鼻当てパットを備えることなく、ツル２，２のフロント部側にパット９，９を取付けている。該パット９，９はゴム質又は軟質樹脂製であって、柔らなくて自由に変形し、また撓むことが出来るようになっている。そこで、メガネを着用するならば、該パット９，９は顔側面のコミカミ部に当接し、頬骨に載置してフロント部１は支持される。
【００１９】
ところで、上記パット９は図１（ａ）に示しているように、ツル２の下側に概略半リング状を成して形成されている。該パット９はその形状が従来の鼻当てパットや円盤状のようなものではなく、半リング状をしていることで、コメカミ部との接触域は大きく、しかもゴム質又は軟質樹脂製であることで、コメカミ部が圧迫されて痛みを感じることはなく、摩擦係数が高いために滑ることもない。
半リング状パット９はゴム質又は軟質樹脂製である為に、コメカミ部に接触する程度であり、コメカミ部を押圧するものではない。
【００２０】
同図に示す概略半リング状のパット９はフロント部側に前部１０を有し斜め下方へ延び、前部１０と所定の間隔をおいた後方には円弧部１１を設け、円弧部１０の先端は前部１０の先端と繋がっている。
ここで、前部１０はツル２から下方へ延び、しかもフロント部側へ傾斜して延びている。また、円弧部１１はツル２から下方へ円弧を成して延び、該円弧部１１の内面には複数の凸条１２，１２・・・が一定間隔をおいて突出している。該凸条１２，１２・・・はコメカミ部に接し、しかも僅かではあるがコメカミ部に食い込むように接触する。その為に、パット９は滑って位置ズレすることはなく、フロント部１は定置に安定する。
したがって、激しい運動をする際にも本発明のメガネフレームで構成される眼鏡を着用することが出来る。
【００２１】
図１（ａ）から明らかなように、ツル２は継手１４を介して折畳み出来るように連結しているが、ツル２のフロント側はレンズ３の表面に連続するように滑らかに湾曲し、外側へ膨出した突出部１３を形成している。そして、突出部１３の後方は内側へ湾曲し、メガネを着用した際に側頭部に密着するように両ツル２，２の間隔は狭まり、さらにツル先端部１５，１５は内側へ大きく湾曲して後頭部を抱き込むことが出来る形状としている。
【００２２】
ところで、上記半リング状パット９は、ツル２の突出部１３に設けられ、その為に該ツル２から内側へ傾斜するように下方へ延びている。
その為に、ツル突出部１３と半リング状パット９の下端部との間には上方から見た際に大きな空間が設けられ、ゴム質又は軟質樹脂製の半リング状パット９は、メガネを掛ける際にはコメカミ部に当たって外方向へ押し戻されて大きく撓むことが出来る。この際、半リング状パット９によって、コメカミ部に痛みが生じることはなく、しかも滑って位置ズレもし難い。
【００２３】
ところで、半リング状パット９をツル２に取付ける具体的な構造に関して限定はしない。例えば、パット９を構成する前部１０の基部と円弧部１１の基部をツル２の突出部１３に直接ネジ止めすることで取着することが出来る。
ただし、図１（ａ）、（ｂ）に示している実施例では、ツル２に一体化した形態として取付けている。
【００２４】
前部１０の基部はツル２に巻き付くリングシート１６を形成し、また円弧部１１はツル先端部まで大きく延びてツル被覆シート１７を形成している。そして、リングシート１６とツル被覆シート１７の間には繋ぎシート１８が形成されている。これら、リングシート１６、ツル被覆シート１７、及び繋ぎシート１８は半リング状パット９と同じゴム質又は軟質樹脂にて構成されていて、そこで所定の形状に成形されたツル２に嵌めることが出来る。
又は、リングシート１６、ツル被覆シート１７、及び繋ぎシート１８を半リング状パット９と共にツル２に一体化するように、ゴム質又は軟質樹脂を流し込んで成形することも可能である。
【００２５】
このように、ツル２に半円弧状パット９と共にツル被覆シート１７を形成することで、メガネを掛けることで、該ツル２は定位置に安定する。
パット９は頬骨に載ると共にコメカミ部に当り、ツル被覆シート１７は頭部側面から後頭部にかけて当接することで該ツル２の位置ズレは防止され、比較的は激しい運動をしてもフロント部１がズレることはなく、勿論、着用したメガネが外れ落ちることはない。
【００２６】
図４は本発明のメガネフレームを着用した場合である。ツル２から下方へ延びるパット９は頬骨に載置されると共にコメカミ部に当接してフロント部１が位置ズレしないように支えることが出来る。
該パット９は半リング状であり、コメカミ部とは広範囲で当接して頬骨に載置される。該パット９は半リング状であり、材質はゴム質又は軟質樹脂質である為に、当りは柔らかくてコメカミ部に痛みを感じることはない。しかも、摩擦係数が高くて滑って位置ズレすることもない。
また、ツル２の表面をツル被覆シート１７にて被覆するならば、後頭部に当たるツル先端部も位置ズレすることなく安定し、フロント部１がズレることはない。
【符号の説明】
【００２７】
１  フロント部
２  ツル
３  レンズ
４  連結部材
５  ヨロイ
６  凸部
７  ネジ穴
８  外周縁
９  パット
10  前部
11  円弧部
12  凸条
13  突出部
14  継手
15  ツル先端部
16  リングシート
17  ツル被覆シート
18  繋ぎシート
【図１】
2020016718.tif 000003
【図２】
2020016718.tif 000004
【図３】
2020016718.tif 000005
【図４】
2020016718.tif 000006
【図５】
2020016718.tif 000007
【図６】
2020016718.tif 000008